(57)【要約】      （修正有）【課題】店舗で、自動販売機はもちろん、空ボトルを持って来て、自動販売機で水の計り売りもでき、しかも、原水は、外部からの水道水を使用することにより、水の製造室も併設することのできるウォーターショップを提供する。【解決手段】適宜の広さを有する室Ｘ内を、水を販売する店舗スペース１と、水を製造をする製造室スペース２に適宜な割合で仕切り、製造室をクリーンブースとし、店舗スペースには、水の自動販売機３を一又は複数台、設置すると共に、ボトル返却用ポスト４を設け、製造室には、原水タンク５より、原水をボトリングするボトリング装置６を設け、室外からの原水を水処理装置を介して、製造室内のボトリング装置と、店舗スペース内の、水の自動販売機へ、それぞれ連通して設ける。【選択図】図１
0003203829.tif 000002
【実用新案登録請求の範囲】
【請求項１】
適宜の広さを有する室（Ｘ）内を、水を販売する店舗スペース（１）と、水を製造をする製造室スペース（２）に適宜な割合で仕切り、該製造室（２）をクリーンブースとし、該店舗（１）には、水の自動販売機（３）を一又は複数台、設置すると共に、ボトル返却用ポスト（４）を設け、製造室（２）には、原水タンク（５）より、原水をボトリングするボトリング装置（６）を設け、室外からの原水を水処理装置（７）を介して、製造室（２）内のボトリング装置（６）と、店舗スペース（１）内の、水の自動販売機（３）へ、それぞれ連通して設けることを特徴とするウォーターショップ。
【請求項２】
適宜の広さを有する室（Ｘ）が、５０坪以内であることを特徴とする請求項１記載のウォーターショップ。
【請求項３】
水を製造する製造室スペース（２）と店舗スペース（１）との割合が、１対９、あるいは９対１であることを特徴とする請求項１記載のウォーターショップ。
【考案の詳細な説明】
【技術分野】
【０００１】
この考案は、ウォーターショップに関するものである。
【背景技術】
【０００２】
従来、水道水以外の天然水は、デパート、スーパー、コンビニ等で購入したり、あるいは、インターネットで申し込んて定量のボトルを購入にしたり、また、定期的に契約してガロンボトルを宅配してもらい、家庭内に設置したサーバーにセットして使用している。  この方式は、一般的に１００坪以上の製造室や倉庫で製造されており、商圏としては１プラントで数十キロの範囲で、１０００本（毎日）以上の製造を行っている。
【０００３】
そして、近年は、日本各地の天然水を専門に販売する水のショップ（販売店）が開店しており、体によい、ミネラル成分や風味を損なうことなく殺菌されたおいしい水が気軽に購入できるものであった。例えば、特許文献１のように。
【先行技術文献】
【特許文献】
【０００４】
【特許文献１】特開２００９−２３４５９１号公報
【０００５】
しかし、このような技術は、水を貯めておく貯水タンクを設けており、小規模な店舗内では、この貯水タンクが場所を占めてしまい、使用スペースが狭くなるという欠点があった。また、顧客が自ら持参した容器に量り売るのみが保健所からの許可条件であるため、保健所から清涼飲料水工場の許可を受けることが出来ないため、ボトルウォーターとして、販売や宅配することができない。
【考案の概要】
【考案が解決しようとする課題】
【０００６】
そこで、この考案は、ショップや路上脇等に設置された自動販売機ではなく、５０坪以下の小スペースの店舗内に、原水に外部からの水道水を使用し、店舗に空ボトルをを持って来て、保健所から喫茶店営業許可を受けることが出来る自動販売機での水の計り売りや保健所から清涼飲料水工場の許可を受けることが出来る製造室を併設することができるウォーターショップを開発・提供することにある。
【０００７】
また、製造室では、１３リットル以下の容量のボトルドウォーターを３００本〜５００本（毎日）程度の製造を行う小規模なプラントを設置する。このプラントで造られた製品水は、宅配水を基本とし、数キロ商圏を対象とする。もちろん、店舗で販売もできる。
【課題を解決するための手段】
【０００８】
上記の課題を解決するため、この考案は、店舗内に、水を販売するための店舗スペースと、水を製造するための製造スペースとに区分して設けたウォーターショップを開発・提供することにある。
【考案の効果】
【０００９】
この考案によると、５０坪以内の室（Ｘ）内を、店舗スペース（１）だけではなく、水を製造する製造室スペース（２）も設けることにより、常に、店舗スペース（１）においては店員として、また、製造室スペース（２）の作業員として兼務が可能であり、店舗スペース（１）では、水の計り売りも出来る等客に対して細やかなサービスが提供でき、さらに、製造室では、ボトリング作業等を行うことができることにより人員をうまく活用できる等の極めて有益なる効果を奏するものである。
【００１０】
さらに、この考案によると、店舗の室（Ｘ）外からの原水（水道水）を、水処理装置（７）を介して、製造室スペース（２）内のボトリング装置（６）と、店舗スペース（１）内の、水の自動販売機（３）へ、水処理装置（７）を介してそれぞれ連通して設けることにより、原水の管理が容易となる等の極めて有益なる効果を奏するものである。
【図面の簡単な説明】
【００１１】
【図１】この考案の一実施例を示す店舗の断面図である。
【図２】この考案の一実施例を示す配管図である。
【図３】この考案の他の実施例を示す配管図である。
【考案を実施するための形態】
【００１２】
以下、この考案について詳細に説明する。尚、この考案においては、以下の記述に限定されるものではなく、この考案の要旨を逸脱しない範囲においては適宜変更可能である。
【実施例】
【００１３】
次に、この考案の一実施例を図面に従って詳述すると、室（Ｘ）内を、水を販売する店舗スペース（１）と、水を製造をする製造室スペース（２）に仕切り、該製造室（２）をクリーンブースとし、該店舗（１）には、水の自動販売機（３）を一又は複数台、設置すると共に、ボトル返却用ポスト（４）を設け、製造室（２）には、原水タンク（５）より、原水をボトリングするボトリング装置（６）を設け、室外からの原水を水処理装置（７）を介して、製造室（２）内のボトリング装置（６）と、店舗スペース（１）内の、水の自動販売機（３）へと配管にて、それぞれ連通して設けることを特徴とするウォーターショップから構成される。
【００１４】
尚、室（Ｘ）内の店舗スペース（１）には、前記の店舗スペース（１）及び製造室スペース（２）の他に、該製造室スペース（２）に入る前の前室（８）、検査室（９）、トイレ（10）、更衣室（11）等を設けることも可能である。
【００１５】
さらに、少なくとも、製造室スペース（２）と検査室（９）には、手洗い器（12）を設置して、清潔な手で作業、検査をするものである。
【００１６】
また、室（Ｘ）内の店舗スペース（１）には、前述のほか、棚を冷蔵ケース（13）に形成したり、また、レジカウンター（14）を設けてもよく、さらに、製造室スペース（２）には、シンク（15）、送水ポンプ（16）、純水タンク（17）、洗浄装置（18）、ミネラル装置（19）、洗浄タンク（20）、洗浄ポンプ（21）、充填ポンプ（22）、ＲＯ装置（23）を設けてもよく、必要に応じて適宜選択して設ける。
【００１７】
また、前室（８）には、エアーシャワー装置（24）、コンプレッサー（25）等を設け、検査室（９）に、更衣室（11）のスペースを形成してもよい。
【００１８】
次に、この考案の配管を説明すると、水道水（Ｙ）は、外部より店舗（Ｘ）内に配管され、該水道水（Ｙ）の一方は、製造室スペース（２）内の水処理装置（７）を介して、製品水としてボトリング装置（６）に連通し、他方は途中で分岐し、店舗スペース（１）内の水処理装置（７′）を介して水の自動販売機（３）に連通するよう構成している。
【産業上の利用可能性】
【００１９】
この考案によると、ウォーターショップの構造の技術を確立し、実施・販売することにより産業上の利用可能性がある。
【符号の説明】
【００２０】
１  店舗スペース
２  製造室スペース
３  水の自動販売機
４  ボトル返却用ポスト
５  原水タンク
６  ボトリング装置
７  製造スペース内の水処理装置
７′店舗スペース内の水処理装置
８  前室
９  検査室
10  トイレ
11  更衣室
12  手洗い器
13  冷蔵ケース
14  レジカウンター
15  シンク
16  送水ポンプ
17  純水タンク
18  洗剤装置
19  ミネラル装置
20  洗浄タンク
21  洗浄ポンプ
22  充填ポンプ
23  ＲＯ装置
24  エアーシャワー装置
25  コンプレッサー
Ｘ  室
Ｙ  水道水
【図１】
0003203829.tif 000003
【図２】
0003203829.tif 000004
【図３】
0003203829.tif 000005
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
適宜の広さを有する室（Ｘ）内を、水を販売する店舗スペース（１）と、
水を製造をする製造室スペース（２）に適宜な割合で仕切り、
該製造室スペース（２）をクリーンブースとし、
該店舗スペース（１）には、水の自動販売機（３）を一又は複数台、設置すると共に、ボトル返却用ポスト（４）を設け、製造室スペース（２）には、原水タンク（５）より、原水をボトリングするボトリング装置（６）を設け、
室外からの原水を水処理装置（７）を介して、製造室スペース（２）内のボトリング装置（６）と、店舗スペース（１）内の、水の自動販売機（３）へ、それぞれ連通して設けることを特徴とするウォーターショップ。
【請求項２】
適宜の広さを有する室（Ｘ）が、５０坪以内であることを特徴とする請求項１記載のウォーターショップ。
【請求項３】
水を製造する製造室スペース（２）と店舗スペース（１）との割合が、１対９、あるいは９対１であることを特徴とする請求項１記載のウォーターショップ。